(57)【要約】【課題】構造が簡単で着脱が容易にスコップを製氷機に保持する。【解決手段】貯氷室２０に貯蔵した氷Ｉの取出しに供されるスコップ６０における底壁部６６に第２磁石７０を設ける。そして、外扉３２と共に扉３０を構成する内扉３４における貯氷室２０内の氷Ｉを取出口２４側に案内する案内面４０の裏面４２全体に、第１磁石５０を設ける。スコップ６０を内扉３４の案内面４０に置くことで、前記第２磁石７０と第１磁石５０との吸着作用によって、スコップ６０が内扉３４の案内面４０に着脱可能に保持される。【選択図】図３
2013087996.tif 000002
【特許請求の範囲】
【請求項１】
製氷部で生成される氷(I)を貯蔵する貯氷室(20)を内部に有する筺体(12)と、前記筺体(12)の一側面に開設され、前記貯氷室(20)から氷(I)を取出すための取出口(24)と、前記筺体(12)に配設され、前記取出口(24)を開閉可能な扉(30)とを備える製氷機において、
前記貯氷室(20)に貯蔵した氷(I)の取出しに供されるスコップ(60)および前記扉(30)の一方に設けた磁石(50,70)と、他方に用いられた磁石(70,50)または磁性体との磁力吸着作用によって、スコップ(60)が扉(30)の内面に着脱可能に保持されるよう構成した
ことを特徴とする製氷機のスコップ保持構造。
【請求項２】
前記扉(30)は、下端部が前記筺体(12)における前記取出口(24)の下方に水平軸回りに回動可能に支持され、取出口(24)を閉成可能な外扉(32)と、前記筺体(12)における前記貯氷室(20)内に回動可能に支持されて前記外扉(32)に追従して回動し、外扉(32)を開放した際に前記取出口(24)から氷(I)がこぼれるのを防止する内扉(34)とを備え、
前記内扉(34)に設けられた磁石(50)または磁性体との磁力吸着作用によって該内扉(34)の内面に前記スコップ(60)が保持されるよう構成した請求項１記載の製氷機のスコップ保持構造。
【請求項３】
前記内扉(34)は、前記外扉(32)を開放した際に前記貯氷室(20)内の氷(I)を前記取出口(24)側に案内する案内面(40)を備え、該案内面(40)の裏面(42)全体に、前記磁石(50)または磁性体を設けた請求項２記載の製氷機のスコップ保持構造。
【発明の詳細な説明】
【技術分野】
【０００１】
本発明は、貯氷室に貯蔵した氷の取出しに供されるスコップを保持するよう構成された製氷機のスコップ保持構造に関するものである。
【背景技術】
【０００２】
製氷機としては、製氷機構で生成された氷を、製氷機構の下方に配設した貯氷室に堆積貯蔵するものがある。そして、貯氷室に貯蔵された氷は、製氷機に付属のスコップで掬い出すようになっている。不使用時にこのスコップを製氷機の天板上等の貯氷室の外に放置すると、スコップにゴミや埃等が付着して不衛生である。また、スコップを貯氷室内の氷の上に放置すると、生成された氷がスコップの上に堆積してスコップが埋もれてしまい、氷を掻き分けてスコップを取出さなくてはならず煩わしい。また、スコップを取出す際に使用者の手が氷に触れることで衛生上の問題もある。そこで、特許文献１では、スコップの左右上端に外方へ張出したフランジを設けると共に、貯氷室内の上部に配設された排水皿の下面にスコップのフランジを載置する棚を設けることで、スコップを排水皿の下面に保持するよう構成されている。
【先行技術文献】
【特許文献】
【０００３】
【特許文献１】特開２０００−１６１８２６号公報
【発明の概要】
【発明が解決しようとする課題】
【０００４】
しかしながら、特許文献１では、スコップを収納する際に、手前から奥に向かってスコップをスライドさせて、スコップの左右のフランジを排水皿の下面に設けた棚に載置させなくてはならず、収納し難い。また、スコップの収納位置が、貯氷室における排水皿の下面であるため、スコップを見つけ難い。更に、スコップを収納するための棚が必要となるため部品点数が多くなって構造が複雑になり、清掃に手間がかかる。
【０００５】
そこで本発明は、従来の技術に内在する前記問題に鑑み、これらを好適に解決するべく提案されたものであって、構造が簡単でスコップの着脱が容易な製氷機のスコップ保持構造を提供することを目的とする。
【課題を解決するための手段】
【０００６】
前記課題を克服し、所期の目的を達成するため、本願請求項１に係る製氷機のスコップ保持構造は、
製氷部で生成される氷を貯蔵する貯氷室を内部に有する筺体と、前記筺体の一側面に開設され、前記貯氷室から氷を取出すための取出口と、前記筺体に配設され、前記取出口を開閉可能な扉とを備える製氷機において、
前記貯氷室に貯蔵した氷の取出しに供されるスコップおよび前記扉の一方に設けた磁石と、他方に用いられた磁石または磁性体との磁力吸着作用によって、スコップが扉の内面に着脱可能に保持されるよう構成したことを要旨とする。
【０００７】
請求項１に係る発明によれば、スコップが磁力の作用によって扉の内面に保持されるよう構成したので、扉の内面に当接させるだけでスコップを扉の内面に容易に保持させることができ、引き離すだけでスコップを取り外すことができる。また、扉を開放した状態で扉内面が露出する構成では、スコップを容易に見つけることができ、また、氷の取出し作業が終了した際にはスコップを容易に保持させることができるので作業効率がよい。更に、スコップおよび扉に磁石または磁性体を設けるだけなので単純な構造にでき、清掃等のメンテナンスが容易である。
【０００８】
請求項２に係る発明は、前記扉は、下端部が前記筺体における前記取出口の下方に水平軸回りに回動可能に支持され、取出口を閉成可能な外扉と、前記筺体における前記貯氷室内に回動可能に支持されて前記外扉に追従して回動し、外扉を開放した際に前記取出口から氷がこぼれるのを防止する内扉とを備え、
前記内扉に設けられた磁石または磁性体との磁力吸着作用によって該内扉の内面に前記スコップが保持されるよう構成したことを要旨とする。
請求項２に係る発明によれば、外扉を下方向に回動させて開放した状態では、外扉に追従して回動する内扉の内面が作業者に近接する。従って、作業者が外扉を開放して直にスコップを持つことができ、手にしたスコップでスムーズに氷を取出すことができる。取出し作業が終了した際には、内扉の内面にスコップを置くだけで磁力の作用によってスコップを内扉に保持することができる。更に、内扉の内面にスコップを保持するよう構成したので、外扉に磁石または磁性体を設ける必要がなく、強度や断熱性等が要求される外扉自体の構成を変えることなくスコップを扉に保持できる。
【０００９】
請求項３に係る発明は、前記内扉は、前記外扉を開放した際に前記貯氷室内の氷を前記取出口側に案内する案内面を備え、該案内面の裏面全体に、前記磁石または磁性体を設けたことを要旨とする。
請求項３に係る発明によれば、案内面の裏全面に磁石または磁性体を設けているので、案内面上であればどこにスコップを置いてもスコップが案内面に保持される。更に、案内面の裏面に磁石または磁性体を設けるから、磁石や磁性体が案内面の形状に影響を与えない。
【発明の効果】
【００１０】
本発明に係る製氷機のスコップ保持構造によれば、簡単な構成でスコップを容易に着脱できる。
【図面の簡単な説明】
【００１１】
【図１】実施例に係る製氷機の外扉および内扉を閉成した状態で一部を破断して示す概略側面図である。
【図２】実施例に係る製氷機の外扉および内扉を開放した状態で一部を破断して示す概略側面図である。
【図３】図２の状態でスコップを破断した状態を示す一部拡大図である。
【図４】実施例に係るスロープの斜視図である。
【図５】図４のＸ−Ｘ線断面図である。
【図６】実施例に係るスコップの斜視図である。
【図７】変更例に係るスコップの側面図である。
【発明を実施するための形態】
【００１２】
次に、本発明に係る製氷機のスコップ保持構造につき、好適な実施例を挙げて、添付図面を参照しながら以下に説明する。なお、以下の説明において、「前」、「後」、「左」、「右」、「上」、「下」とは、製氷機については製氷機を扉側から見た場合を基準として指称し、スコップについては柄の延出端部側から見た場合を基準として指称する。
【実施例】
【００１３】
図１に示すように、製氷機１０は、外箱１４と内箱１６との間に断熱材１８を充填して構成された筺体１２を本体としている。この筺体１２の内部には、上部に設けられた製氷機構の製氷部で生成される氷Ｉを貯蔵する貯氷室２０と、この貯氷室２０の下方に設けられ、冷凍機構を構成する機器等が配設される機械室２２とが画成されている。そして、外箱１４の前壁には、貯氷室２０から氷Ｉを取出すための取出口２４が開設されると共に、この取出口２４を閉成可能な扉３０が配設されている。また、製氷機１０には、貯氷室２０に貯蔵した氷Ｉの取出しに供されるスコップ６０が付属されている。このスコップ６０は、スコップ６０および扉３０の一方に設けた磁石と他方に用いられた磁石または磁性体との磁力吸着作用によって、扉３０における貯氷室２０側に面する内面に着脱可能に保持される。
【００１４】
前記扉３０は、外箱１４の前壁における取出口２４の下方に、水平軸回りに回動可能に支持されて取出口２４を閉成可能な外扉３２と、筺体１２における貯氷室２０内に水平軸回りに回動可能に支持されて外扉３２に追従して回動し、外扉３２を開放した際に取出口２４から氷Ｉがこぼれるのを防止する内扉３４とを備えている。外扉３２は、下端部が外箱１４の前壁における取出口２４の下方に配設されたヒンジ２６に枢支されている。外扉３２は、上端部を外箱１４の前壁に対して近接・離間するようヒンジ２６に対して回動することで、取出口２４を閉成する閉成姿勢(図１の状態)と、取出口２４を開放する開放姿勢(図２および図３の状態)との間を変位するよう構成されている。内扉３４は、下端部が内箱１６の左右側壁から水平方向に立設された一対の支持体(図示せず)によって回動可能に支持されて、外扉３２の回動に追従して閉成姿勢と開放姿勢との間を変位するよう構成されている。外扉３２における貯氷室２０側に面する内面には、閉成姿勢における内扉３４の上端部に対応する位置に、Ｌ字状のホルダ３６が設けられている。
【００１５】
図１,図４および図５に示すように、前記内扉３４は、外扉３２の内面と対向する対向板３７と、この対向板３７の左右方向両端部から対向板３７と略直交するよう貯氷室２０側に向かって立設された一対の側板３８,３８とを備えている。対向板３７は、対向板３７における貯氷室２０側に面し、貯氷室２０内の氷Ｉを取出口２４側(前側)に案内する案内面４０と、この案内面４０の下端部において側板３８,３８と反対方向に垂下した折曲部４４(図３および図５参照)とを備えている。案内面４０の上端部には、外扉３２に配設されたホルダ３６と係合する凹部４６(図４参照)が形成されている。この案内面４０に形成された凹部４６と、外扉３２に配設されたホルダ３６が係合することで、閉成姿勢の内扉３４が外扉３２の回動に追従して開放姿勢に変位する。図３に示すように、折曲部４４は、開放姿勢において対向板３７と内箱１６の前壁との間に位置し、対向板３７と内箱１６の前壁との間に氷Ｉが侵入するのを防止する。側板３８,３８は、上端側が低く下端側が高くなるよう形成されている。側板３８,３８の下端部には、前記支持体が係合する取付孔４８が側方に向けて開設されている。そして、支持体を取付孔４８に嵌合させることで、内扉３４が筺体１２に対して回動可能に取付けられる。支持体は、内箱１６における取出口２４の下部周縁から所定間隔後方に離間した位置に形成されており、内扉３４を貯氷室２０内で支持する。このため、内扉３４は、図２に示すように、開放姿勢において対向板３７がヒンジ２６の上方を覆うように貯氷室２０内から外扉３２の上部までの間に架け渡され、外扉３２と外箱１４の前壁との間に氷Ｉが落下しないようになっている。内扉３４は、例えば、ポリエチレンやポリプロピレン等の合成樹脂材料からインジェクション成形される。内扉３４には、図５に示すように、対向板３７における案内面４０の裏面４２に、シート状の第１磁石５０が例えば接着剤で取付けられている。第１磁石５０は、案内面４０の裏面４２の略全面を覆うように設けられている。
【００１６】
前記スコップ６０は、図６に示すように、氷Ｉを掬うための本体部６２と、この本体部６２から外方に延出する柄６４とを備えている。本体部６２は、略矩形板状の底壁部６６と、底壁部６６の周縁部から立設された側壁部６８とから上方に開放するバケット状に形成されている。柄６４は、本体部６２の前壁部６８ａから前方に延出するよう形成されている。また、前壁部６８ａと対向する後壁部６８ｂは上方に向かうにつれて後側に傾斜している。また、図３に示すように、スコップ６０の底壁部６６の内部には第２磁石７０が埋め込まれている。案内面４０の裏面４２に取付けられた第１磁石５０とスコップ６０に埋め込まれた第２磁石７０とは、スコップ６０を内扉３４の案内面４０に載置した状態で、異なる極が対向するよう構成されて、第１磁石５０と第２磁石７０との間に磁力吸着作用が働くようになっている。従って、スコップ６０は、磁力によって底壁部６６を案内面４０に当接させた状態で保持される。スコップ６０は、例えば、ポリエチレンやポリプロピレン等の合成樹脂材料から、内部に第２磁石７０をインサートしてインジェクション成形される。
【００１７】
（実施例の作用）
次に、実施例に係る製氷機のスコップ着脱構造の作用について説明する。製氷機１０は、図２に示すように、外扉３２を手前に引いて回動させると取出口２４が開放される。この際、閉成姿勢において図１に示すように外扉３２の内面に設けられたホルダ３６に凹部４６が係合状態にある内扉３４は、外扉３２の回動に追従して回動する。スコップ６０は、前述のように底壁部６６を案内面４０に当接させた状態で内扉３４の案内面４０に保持されている。図２および図３に示すように、開放姿勢の内扉３４は、スコップ６０が保持された案内面４０を略上方に向けて作業者に近接した状態となっている。従って、外扉３２を開放した作業者がスコップ６０を容易に見つけることができる。スコップ６０は、スコップ６０内部に埋め込まれた第２磁石７０と案内面４０の裏面４２に取付けられた第１磁石５０との磁力の作用によって保持されているので、氷Ｉを取出す際には、スコップ６０の柄６４を掴んで案内面４０から引き離すだけでスコップ６０を容易に取り外すことができる。また、スコップ６０が保持された内扉３４は作業者と貯氷室２０との間に位置するので、作業者は貯氷室２０に向けて手を伸ばす途中でスコップ６０を持ち、そのままスコップ６０で氷Ｉをスムーズに掬うことができるため作業効率がよい。
【００１８】
前述のようにスコップ６０は磁力の吸着作用によって案内面４０に保持される構成なので、氷Ｉの取出し作業が終了した際には、スコップ６０を内扉３４の案内面４０上に置くだけでスコップ６０を案内面４０に保持することができる。また、第１磁石５０が案内面４０の裏面４２の略全面を覆うように設けられているので、案内面４０上であればどこに置いてもスコップ６０を保持することができる。第２磁石７０がスコップ６０の底壁部６６に設けられているので、スコップ６０を案内面４０に保持させる際に、作業者がスコップ６０の向きを変える必要がない。また、スコップ６０を案内面４０に保持させた後、外扉３２を後方に押して回動させると取出口２４が閉成される。この際、外扉３２の内面に押圧される内扉３４は、案内面４０にスコップ６０を保持したまま外扉３２の回動に追従して回動する。扉３０の閉成姿勢において、図１に示すように、柄６４を上方に向けて底壁部６６が略上下方向に延在する姿勢でスコップ６０を案内面４０に保持させれば、スコップ６０に水がたまり難く衛生的である。
【００１９】
実施例の製氷機のスコップ保持構造では、スコップ６０の内部および内扉３４の案内面４０の裏面４２に磁石５０,７０を設けるだけでスコップ６０を案内面４０に保持できるので、構造が簡単で清掃等のメンテナンスが容易である。また、スコップ６０の内部に第２磁石７０が埋め込まれた構成であるので、第２磁石７０が錆び難く、またスコップ６０の外面に凹凸が生じ難くスコップ６０を衛生的に保つことができる。内扉３４における案内面４０の裏面４２に第１磁石５０を取付ける構成としたので、内扉３４自体の構成を変える必要がなく、また強度や断熱性が要求される外扉３２の構成を変える必要もない。
【００２０】
(変更例)
本発明は、前述の実施例に限定されず、以下の如く変更することも可能である。
(１) 実施例では、筺体の前面に水平軸回りに扉が回動可能に配設された製氷機を例に挙げて説明したが、これに限定されず、鉛直軸回りに回動可能に配設された扉や、スライド式の扉等、筺体の一側面に開設された取出口を開閉可能な扉を備える製氷機であれば前述のスコップ保持構造を適用できる。
(２) 実施例では、内扉の案内面にスコップを保持する製氷機を例に挙げて説明したが、これに限定されず、扉における製氷室側に面する内面にスコップが保持される構造であればよく、内扉における側板の内面にスコップを保持する構造であってもよい。また、内扉を備えていない構成において、外扉の内面にスコップを保持する構造であってもよい。
(３) 実施例では、内扉に第１磁石を設けると共にスコップに第２磁石を設ける構成のスコップ保持構造を採用するが、スコップが扉の内面に磁力吸着作用によって着脱可能に保持される構成であればよく、スコップおよび扉の一方に磁石を設け、他方にこの磁石に吸着される磁性体を用いてもよい。磁性体としては、磁石に吸着されるステンレス等の磁性体金属を採用できる。
(４) 実施例では、内部に第２磁石が埋め込まれたスコップを作用するが、図７に示すように、スコップ８０の下面８２に磁石８４を取付けた構成としてもよい。また、扉に磁石を設けた場合、スコップの内部に磁性体が埋め込まれた構成や、磁性体を用いてスコップを形成してもよい。
(５) 実施例では、案内面の裏面における略全面に第１磁石を設ける構成を採用するが、案内面の裏面における一部に第１磁石を設ける構成であってもよく、側板に第１磁石を設ける構成であってもよい。また、スコップに磁石を設けた場合、案内面の裏面に磁性体を設ける構成や、磁性体を用いて内扉を形成してもよい。
【符号の説明】
【００２１】
１２ 筺体，２０ 貯氷室，２４ 取出口，３０ 扉，３２ 外扉，３４ 内扉，
４０ 案内面，４２ 案内面の裏面，５０ 第１磁石(磁石)，６０ スコップ，
７０ 第２磁石(磁石)，Ｉ 氷
【図１】
2013087996.tif 000003
【図２】
2013087996.tif 000004
【図３】
2013087996.tif 000005
【図４】
2013087996.tif 000006
【図５】
2013087996.tif 000007
【図６】
2013087996.tif 000008
【図７】
2013087996.tif 000009